(57)【要約】【課題】害虫駆除成分を徐々に放出させることができ、薬理的な害虫駆除効果を長期間にわたって維持することができると共に、害虫が対象物内に侵入することを物理的に防止可能な形状を有する害虫駆除部材を提供する。【解決手段】建物やハウジング等の対象物に設置され、害虫駆除成分が含有された材料から少なくとも一部が形成されると共に、当該害虫の対象物に対する侵入経路を強制的に変更し、当該侵入経路に沿って前進する害虫を落下あるいは前進を停止させる害虫駆除部材である。【選択図】図１
2008035776.tif 000002
【特許請求の範囲】
【請求項１】
対象物に設置され、当該対象物内に害虫が侵入することを防止する害虫駆除部材であって、
害虫駆除成分が含有された材料から少なくとも一部が形成されると共に、当該害虫の前記対象物に対する侵入経路を強制的に変更し、当該侵入経路に沿って前進する害虫を落下あるいは前進を停止させる害虫駆除部材。
【請求項２】
前記侵入経路の途中に、少なくとも１つの屈曲部を形成し、当該屈曲部によって前記害虫を落下あるいは前進を停止させる請求項１記載の害虫駆除部材。
【請求項３】
少なくとも前記屈曲部が弾性変形可能である請求項１または２記載の害虫駆除部材。
【請求項４】
対象物に設置され、当該対象物内に害虫が侵入することを防止する害虫駆除部材であって、
害虫駆除成分が含有された材料から少なくとも一部が形成されると共に、当該害虫の前記対象物に対する侵入経路を強制的に変更し、当該侵入経路に沿って前進する害虫を落下あるいは前進を停止させる害虫駆除部材本体と、
前記害虫駆除部材本体を補強して当該害虫駆除部材本体の形状を維持する補強部材と、
を備えた害虫駆除部材。
【請求項５】
前記害虫駆除部材本体の侵入経路の途中に、少なくとも１つの屈曲部を形成し、当該屈曲部によって前記害虫を落下あるいは前進を停止させる請求項４記載の害虫駆除部材。
【請求項６】
対象物に設置され、当該対象物内に害虫が侵入することを防止する害虫駆除部材であって、
害虫駆除成分が含有された材料から少なくとも一部が形成されると共に、当該害虫の前記対象物に対する侵入経路を第１の屈曲部によって強制的に変更し、当該侵入経路に沿って前進する害虫を落下あるいは前進を停止させる第１の害虫駆除部材と、
害虫駆除成分が含有された材料から少なくとも一部が形成されると共に、当該害虫の前記対象物に対する侵入経路を第２の屈曲部によって強制的に変更し、当該侵入経路に沿って前進する害虫を落下あるいは前進を停止させる第２の害虫駆除部材と、
を備え、前記第１の屈曲部は、前記第２の屈曲部よりも大きく構成されてなる害虫駆除部材。
【請求項７】
前記第１の害虫駆除部材と第２の害虫駆除部材は、前記第１の屈曲部と第２の屈曲部の屈曲方向が略一致すると共に、当該第１の屈曲部と第２の屈曲部とが互いに間隔をおいて配置されてなる請求項６記載の害虫駆除部材。
【請求項８】
前記第１の屈曲部及び第２の屈曲部が、湾曲形状を有し、当該第１の屈曲部の曲率半径が、前記第２の屈曲部の曲率半径よりも大きく構成されてなる請求項６または請求項７記載の害虫駆除部材。
【請求項９】
前記第１の害虫駆除部材と第２の害虫駆除部材が一体的に形成されてなる請求項６ないし請求項８のいずれか一項に記載の害虫駆除部材。
【発明の詳細な説明】
【技術分野】
【０００１】
本発明は、建物や各種機器のハウジング等の様々な対象物内に害虫が侵入することを防止すると共に、害虫を駆除する害虫駆除部材に関する。
【背景技術】
【０００２】
従来から、例えば、ゴキブリ、蟻、クモ、ムカデ等の昆虫等や、ネズミ等の小動物等（以下、このような昆虫や小動物等を総称して「害虫」と記す）が、建物や各種機器のハウジング等の様々な対象物内に侵入することを防止する害虫駆除部材が紹介されている。
【０００３】
このような害虫駆除部材としては、例えば、建物に固定されて害虫の侵入を阻止する害虫ガードが薬溝を有し、この薬溝に粉末状の薬剤が充填されてなる家屋の害虫駆除部材がある。この害虫駆除部材は、薬溝を構成する側壁であって、基礎と対向する側に、それ自体を貫通して薬孔が穿設されており、この薬孔の下方で薬溝の背面に載片が設けられ、この載片と基礎とでバリヤ溝を構成しており、前記薬孔を通って薬溝に充填された薬剤が、薬溝背面のバリヤ溝に充填されるように構成されている。（例えば、特許文献１参照）。
【０００４】
また、ポリアミド樹脂、ポリアセタール樹脂より選ばれる少なくとも１種の樹脂と、スルホンアミド誘導体、スルホン酸エステル誘導体、リン酸エステル誘導体、ホスファゼン誘導体、カルボン酸アミド誘導体、カルボン酸エステル誘導体より選ばれる少なくとも１種の化合物と、小動物防除性を有する薬剤と、を含有する小動物防除性樹脂組成物を、構造材料等として用いられる樹脂材料として用いることも紹介されている。（例えば、特許文献２参照）。
【０００５】
さらにまた、キャニスター本体により蒸発燃料を吸着し、この吸着した蒸発燃料をドレイン配管から吸入された空気と共にエンジン側へ供給するようにした車両用キャニスター構造において、当該ドレイン配管内に害虫が侵入することを防止するものが紹介されている。この車両用キャニスター構造では、ドレイン配管の空気吸入口部の内壁に、小動物除去性薬剤が含有された管状の薬剤含有樹脂体を設けることで、害虫の侵入を防止している。（例えば、特許文献３参照）。
【０００６】
そしてまた、害虫から保護すべき対象物に、害虫忌避成分が含有された樹脂から構成された害虫忌避用製品を取り付けることにより、害虫忌避用製品から徐々に放出される害虫忌避成分の効果によって、前記対象物を昆虫から保護する方法も紹介されている。（例えば、特許文献４参照）。
【特許文献１】特公平６−３０５３号公報
【特許文献２】特開２０００−２１２００５号公報
【特許文献３】特開２００１−７３８８６号公報
【特許文献４】特開２００４−３５７５５３号公報
【発明の開示】
【発明が解決しようとする課題】
【０００７】
しかしながら、特許文献１に記載された害虫駆除部材は、害虫ガードに設けられた薬溝に充填された粉末状の薬剤によって、害虫を駆除するものであるが、薬剤が粉末状であると共に、外部に露出された状態となっているため、この薬剤が外部に飛散する虞がある。また、薬剤の害虫駆除成分が短期間で放出されるため、害虫駆除効果を長期にわたって維持することが困難であり、薬剤を頻繁に補充する必要もある。
【０００８】
また、特許文献２に記載された小動物防除性樹脂組成物は、薬理的な害虫駆除効果を有しているが、この害虫駆除効果が経時的に無くなった際には、害虫を駆除することができなくなってしまう。さらに、害虫駆除成分を徐々に放出することで、長期にわたって害虫駆除効果を維持するための工夫もなされていない。
【０００９】
そしてまた、特許文献３に記載された車両用キャニスター構造は、車両の特定部位（ドレイン配管）に害虫が侵入することを薬理的な害虫駆除効果によって防止するためのものであり、ドレイン配管に侵入しようとした害虫を物理的に阻止する形状を有するものではない。
【００１０】
さらにまた、特許文献４に記載された害虫忌避用製品は、害虫忌避用製品から徐々に放出される害虫忌避成分の効果によって、害虫を薬理的に駆除することができるが、対象物内に侵入しようとした害虫を物理的に阻止する形状を有するものではない。
【００１１】
本発明は、このような事情に鑑みなされたものであり、害虫駆除成分を徐々に放出させることができ、薬理的な害虫駆除効果を長期間にわたって維持することができると共に、害虫が対象物内に侵入することを物理的に防止可能な形状を有する害虫駆除部材を提供することを目的とする。
【課題を解決するための手段】
【００１２】
この目的を達成するため本発明は、対象物に設置され、当該対象物内に害虫が侵入することを防止する害虫駆除部材であって、害虫駆除成分が含有された材料から少なくとも一部が形成されると共に、当該害虫の前記対象物に対する侵入経路を強制的に変更し、当該侵入経路に沿って前進する害虫を落下あるいは前進を停止させる害虫駆除部材を提供するものである。
【００１３】
この構成を備えた害虫駆除部材は、害虫駆除成分が含有された材料から少なくとも一部が形成されているため、当該害虫駆除成分が微量ずつ徐々に放出される。したがって、薬理的な害虫駆除効果（害虫駆除成分の放出による害虫忌避効果、害虫駆除成分に触れることによる殺虫効果等）を長期間にわたって発揮させることができる。さらに、害虫の前記対象物に対する侵入経路を強制的に変更し、当該侵入経路に沿って前進する害虫を落下あるいは前進を停止させる形状を有しているため、害虫が対象物に侵入することを物理的に阻止することもできる。
【００１４】
また、本発明にかかる害虫駆除部材は、当該害虫駆除部材における害虫の侵入経路の途中に、少なくとも１つの屈曲部を形成し、当該屈曲部によって前記害虫を落下あるいは前進を停止させることができる。この場合、前記屈曲部は、例えば、略Ｕ字状等のように湾曲した形状であってもよく、略Ｌ字状や略コ字状等のように所定の角度で折り曲げられた形状であってもよい。
【００１５】
そしてまた、本発明にかかる害虫駆除部材は、少なくとも前記屈曲部を弾性変形可能に構成することもできる。このように構成することで、この害虫駆除部材を、例えば、建物やハウジング等の扉や窓等の開閉部の縁付近に配設した場合、前記害虫駆除効果に加え、当該屈曲部の弾性復元性によって、前記扉や窓に密閉性を持たせることができる。
【００１６】
また、本発明は、対象物に設置され、当該対象物内に害虫が侵入することを防止する害虫駆除部材であって、害虫駆除成分が含有された材料から少なくとも一部が形成されると共に、当該害虫の前記対象物に対する侵入経路を強制的に変更し、当該侵入経路に沿って前進する害虫を落下あるいは前進を停止させる害虫駆除部材本体と、前記害虫駆除部材本体を補強して当該害虫駆除部材本体の形状を維持する補強部材と、を備えた害虫駆除部材を提供するものである。
【００１７】
この構成を備えた害虫駆除部材は、害虫駆除成分が含有された材料から少なくとも一部が形成された害虫駆除部材本体を備えているため、当該害虫駆除成分が微量ずつ徐々に放出される。したがって、薬理的な害虫駆除効果（害虫駆除成分の放出による害虫忌避効果、害虫駆除成分に触れることによる殺虫効果等）を長期間にわたって発揮させることができる。さらに、前記害虫駆除部材本体は、害虫の前記対象物に対する侵入経路を強制的に変更し、当該侵入経路に沿って前進する害虫を落下あるいは前進を停止させる形状を有しているため、害虫が対象物に侵入することを物理的に阻止することもできる。そしてまた、この害虫駆除部材本体は、補強部材によって補強され、その形状が維持されるため、外部から荷重がかけられたとしても、害虫が対象物に侵入することを物理的に阻止する機能を維持することができる。
【００１８】
また、本発明にかかる害虫駆除部材は、前記害虫駆除部材本体の侵入経路の途中に、少なくとも１つの屈曲部を形成し、当該屈曲部によって前記害虫を落下あるいは前進を停止させることができる。
【００１９】
そしてまた、本発明は、対象物に設置され、当該対象物内に害虫が侵入することを防止する害虫駆除部材であって、害虫駆除成分が含有された材料から少なくとも一部が形成されると共に、当該害虫の前記対象物に対する侵入経路を第１の屈曲部によって強制的に変更し、当該侵入経路に沿って前進する害虫を落下あるいは前進を停止させる第１の害虫駆除部材と、害虫駆除成分が含有された材料から少なくとも一部が形成されると共に、当該害虫の前記対象物に対する侵入経路を第２の屈曲部によって強制的に変更し、当該侵入経路に沿って前進する害虫を落下あるいは前進を停止させる第２の害虫駆除部材と、を備え、前記第１の屈曲部は、前記第２の屈曲部よりも大きく構成されてなる害虫駆除部材を提供するものである。
【００２０】
この構成を備えた害虫駆除部材は、害虫駆除成分が含有された材料から少なくとも一部が形成された第１の害虫駆除部材及び第２の害虫駆除部材を備えているため、当該害虫駆除成分が微量ずつ徐々に放出される。したがって、薬理的な害虫駆除効果（害虫駆除成分の放出による害虫忌避効果、害虫駆除成分に触れることによる殺虫効果等）を長期間にわたって発揮させることができる。さらに、前記第１の害虫駆除部材及び第２の害虫駆除部材は、害虫の前記対象物に対する侵入経路を強制的に変更し、当該侵入経路に沿って前進する害虫を落下あるいは前進を停止させる形状を有しているため、害虫が対象物に侵入することを物理的に阻止することもできる。さらにまた、前記第１の害虫駆除部材の第１の屈曲部が、第２の害虫駆除部材の第２の屈曲部よりも大きく構成されているため、害虫のサイズが多岐にわたったとしても、これらの害虫が対象物に侵入することを物理的に阻止することもできる。
【００２１】
また、この構成の場合、前記第１の害虫駆除部材と第２の害虫駆除部材は、前記第１の屈曲部と第２の屈曲部の屈曲方向が略一致すると共に、当該第１の屈曲部と第２の屈曲部とが互いに間隔をおいて配置することができる。
【００２２】
そしてまた、この構成の場合、前記第１の屈曲部及び第２の屈曲部を湾曲形状から構成し、当該第１の屈曲部の曲率半径が、前記第２の屈曲部の曲率半径よりも大きくなるように構成することもできる。
【００２３】
さらにまた、この構成の場合、前記第１の害虫駆除部材と第２の害虫駆除部材は、一体的に形成することもできる。
【発明の効果】
【００２４】
本発明にかかる害虫駆除部材は、害虫駆除成分が含有された材料から少なくとも一部が形成され、且つ害虫の侵入経路に沿って前進する害虫を落下あるいは前進を停止させる形状を有しているため、害虫駆除成分を微量ずつ徐々に放出させ、薬理的な害虫駆除効果を長期間にわたって発揮させることができる。この結果、害虫駆除効果を有する薬剤の使用量を大幅に削減することができ経済的であると共に、環境破壊を引き起こす可能性も殆どない。また、害虫駆除効果を有する薬剤を散布する必要もなく、人体への影響もない。さらにまた、メンテナンスの回数を大幅に削減することができ経済的である。また、本発明にかかる害虫駆除部材は、害虫が対象物に侵入することを物理的に阻止することもできるため、今まで困難とされていた歩行性害虫の対象物への侵入阻止を簡単に行うこともできる。
【発明を実施するための最良の形態】
【００２５】
次に、本発明の好適な実施の形態にかかる害虫駆除部材について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００２６】
（実施の形態１）
図１は、本発明の実施の形態１にかかる害虫駆除部材の斜視図、図２は、図１に示す害虫駆除部材を建物の外壁に配設した場合を示す斜視図、図３は、図１に示す害虫駆除部材を建物の外壁に配設した場合を示す側面図である。なお、実施の形態１では、害虫駆除部材を建物の外壁１００（図２及び図３参照）に取り付ける場合について説明する。
【００２７】
図１〜図３に示すように、実施の形態１にかかる害虫駆除部材１は、害虫駆除成分が含有された樹脂から形成されており、建物の外壁１００に取付けるため略平面状を有する取付部１１と、取付部１１に連続して形成され、内側が凹状となるように、なだらかな円弧状に湾曲した面からなる湾曲部１２を有している。湾曲部１２は、取付部１１に沿って前進する害虫の侵入経路を強制的に変更し、この害虫を落下させる、あるいは害虫の前進を停止させる（Ｕターンさせる）役割を果たしている。
【００２８】
害虫駆除部材１を構成する材料として使用される樹脂としては、例えば、ポリアセタール樹脂、ポリアミド樹脂、アクリロニトリル・ブタジエン・スチレン共重合体（ＡＢＳ樹脂）、ポリスチレン（ＰＳ）、ポリエチレン（ＰＥ）、ポリプロピレン（ＰＰ）、ポリカーボネート（ＰＣ）、塩化ビニル樹脂（ＰＶＣ）、ポリブチレンテレフタレート（ＰＢＴ）、ポリエチレンテレフタレート（ＰＥＴ）、ポリフェニレンオキシド（ＰＰＯ）、及びこれらの樹脂にエストラマーを混合した熱可塑性エストラマーの少なくとも１種の樹脂等が選択される。
【００２９】
さらに、前記樹脂には、当該樹脂に対して害虫駆除成分を溶解保持し、徐放性を付与する作用を有するための化合物を含めることがより好ましい。このような化合物としては、例えば、スルホンアミド誘導体、スルホン酸エステル誘導体、カルボン酸アミド誘導体、カルボン酸エステル誘導体より選ばれる少なくとも１種の化合物を挙げることができる。このような化合物を樹脂に含有させることにより、害虫駆除部材１から害虫駆除成分を長期間にわたり放出することが可能となる。
【００３０】
また、害虫駆除成分としては、例えば、薬殺成分、成長制御成分、忌避成分、誘引成分等が挙げられる。具体的には、例えば、害虫駆除活性を有する化合物、殺傷害虫活性を有する化合物、害虫の摂食阻害活性、害虫の成長コントロール活性を有する化合物等を挙げることができる。
【００３１】
このような害虫駆除効果を発揮する化合物としては、例えば、イミダクロプリドの様なクロロニコチニル系殺虫剤、シラフルオフェンの様なケイ素原子を有するネオフィルラジカルからなる化合物、ベンフラカルブ、アラニカルブ、メトキシジアゾン、カルボスファン、フェノブカルブ、カルバリル、メソミル、プロポクサー、フェノキシカルブ等のカーバメート系化合物、ピレトリン、アレスリン、dl,d-T80−アレスリン、d-T80-レスメトリン、バイオアレスリン、d-T80-フタルスリン、フタルスリン、レスメトリン、フラメトリン、プロパスリン、ペルメトリン、アクリナトリン、エトフェンプロックス、トラロメトリン、フェノトリン、d-フェノトリン、フェンバレレート、エンペントリン、プラレトリン、テフルスリン、ベンフルスリン等のピレスロイド系化合物、ジクロロボス、フェニトロチオン、ダイアジノン、マラソン、プロモフォス、フェンチオン、トリクロルホン、ナレド、テメホス、フェンクロホス、クロルピリホスメチル、シアホス、カルクロホス、アザメチホス、ピリダフェンチオン、プロペタンホス、クロルピリホス等の有機リン系化合物及びこれらの異性体、誘導体、類縁体等を例示できる。また、メトプレン、ピリプロキシフェン、キノプレン、ハイドロプレン、デオヘノラン、NC-170、フルフェノロクスロン、ジフルベンズロン、ルフェヌロン、クロルアズロン等の小動物の成長をコントロールする活性を有する化合物が挙げられる。また、殺ダニ剤としてケルセン、クロルフェナビル、デブフェンピラドピリダベン、ミルベメクチン、フェンピロキシメート、殺鼠剤としてはシリロシド、ノルボマイド、隣化亜鉛、硫酸タリウム、貴隣、アンツー、ワルファリン、エンドサイド、クマリン、クマテトラリン、プロマジオロン、ディフェチアロン等が挙げられる。
【００３２】
なお、実施の形態１にかかる害虫駆除部材１は、射出成形等の公知の成形方法により成形することができる。
【００３３】
この構成を備えた害虫駆除部材１は、例えば、図２及び図３に示すように、建物の外壁１００の所定位置に、湾曲部１２の凹面が地面側を向くようにして配置し、取付部１１を外壁１００に固定する。固定方法としては、外壁１００に取付部１１を粘着剤や両面テープ等により接着することができる。あるいは、図４に示すように、害虫駆除部材１を着脱可能に固定する形状を有する固定具１１０を用意し、粘着剤、両面テープ、ねじ、釘、ボルト等によって、この固定具１１０を外壁１００に固定し、図５及び図６に示すように、この固定具１１０によって、害虫駆除部材１を外壁１００に固定してもよい。
【００３４】
なお、この固定具１１０は、害虫駆除部材１が、紫外線により劣化することを防止したり、汚れや破損から保護する効果も有している。また、害虫駆除部材１を外部から受ける荷重から保護する効果も有しており、害虫駆除部材１の形状を維持することができる。
【００３５】
また、図７に示すように、湾曲部１２の先端側に、害虫駆除部材１を補強して、湾曲部１２の形状を維持する略柱状（略円筒形、略多角柱形等）の補強部材１１１を配設してもよい。この補強部材１１１は、所望により、任意の配設数で設置することができる。このように補強部材１１１を配設することで、害虫駆除部材１に対し、外部から荷重（負荷）がかかったとしても、その形状が変わることを防止することができる。
【００３６】
害虫駆除部材１が外壁１００に取付けられた建物は、例えば、地面から外壁１００を這い上がってきた害虫を、害虫駆除部材１から放出される害虫駆除成分によって、遠ざけたり（忌避効果）、害虫駆除部材１に触れた害虫を殺虫したりする。また、害虫駆除部材１を這い上がってきた害虫がいたとしても、湾曲部１２に到達した害虫は湾曲部１２のオーバーハング構造効果（いわゆる「虫返し」効果）により、落下し、あるいはその前進が阻止される。したがって、建物内に害虫が侵入することを確実に防止することができる。
【００３７】
また、湾曲部１２は、害虫の侵入経路を強制的に変更し、当該害虫を落下させる、あるいは害虫の前進を停止させる効果に加え、害虫駆除部材１が、紫外線により劣化することを防止したり、汚れや破損から保護する効果も有している。さらにまた、害虫駆除成分が放出された空気を、湾曲部１２によって画定される空間に滞留させておくことができ、湾曲部１２付近に到達した害虫を効果的に殺虫させることができる。そしてまた、湾曲部１２によって、害虫が害虫駆除部材１と接触する時間を長くとることができ、害虫を一層殺虫し易くすることができる。
【００３８】
ここで、湾曲部１２によって画定される空間は、通常、暗渠となり易く、害虫が棲み着く傾向にあるが、本発明にかかる害虫駆除部材１は、害虫駆除成分が含有された材料から構成されているため、害虫が棲み着くことがない。
【００３９】
次に、本発明にかかる害虫駆除部材１について以下に示す実験を行い、その害虫駆除効果を調査した。なお、実験は、日本国内において最も頻繁に見られる蟻の一種であるトビイロシワアリを使用して行った。
【００４０】
（実験１）
１５ｃｍ角の塩化ビニル板の中心にピーナツバターをおいたものを６つ用意し、そのうちの３つには、塩化ビニル板の外周に本発明にかかる害虫駆除部材１を配設した。これらのサンプルを、屋外にあるトビイロシワアリの巣の近傍に所定時間置き、その状態を観察した。
【００４１】
害虫駆除部材１を配設したサンプル（発明品）については、３つとも、２４時間放置した後も１匹のトビイロシワアリもピーナツバターに近づいて来なかった。一方、害虫駆除部材１を配設していないサンプル（比較品）については、３つとも、３０分放置した段階でトビイロシワアリがピーナツバターに集まり始め、１５０分放置した段階では、３０〜９０匹のトビイロシワアリがピーナツバターに群がった。
【００４２】
（実験２）
１０匹のトビイロシワアリを害虫駆除部材１に所定時間（１秒、５秒、１０秒、３０秒、６０秒）接触させた後、害虫駆除部材１から離し、これらのトビイロシワアリの行動を観察した。この結果を図８に示す。図８から、全てのトビイロシワアリが死亡したことがわかる。
【００４３】
なお、トビイロシワアリの歩行速度が、１〜３ｃｍ／秒程度であること、害虫駆除部材１に１秒接触しただけでも、全てのトビイロシワアリが死亡したことから、トビイロシワアリに対しては、害虫駆除部材１の取付部１１の先端（図１に符号Ａで示す位置）から湾曲部１２の先端（図１に符号Ｂで示す位置）までの距離が、約３ｃｍあればよいことがわかる。
【００４４】
また、害虫は、害虫駆除部材１に接触した後、短時間で死亡するため、建物内部への侵入経路のごく初期の段階で害虫の侵入を阻止することができることも判る。このように、本発明にかかる害虫駆除部材１の優れた害虫駆除効果が立証された。
【００４５】
なお、実施の形態１では、湾曲部１２を、内側が凹状となり、なだらかな円弧状に湾曲した面から構成した場合について説明したが、これに限らず、湾曲部１２の形状は、害虫の侵入経路を強制的に変更し、害虫を落下させる、あるいは害虫の前進を停止させることが可能な形状であればよい。例えば、図９に示すように、曲率半径が異なる湾曲部１２Ａ及び湾曲部１２Ｂを連続して形成してもよい。このようにすることで、より多岐にわたるサイズの害虫に対応することができる。また、図１０に示すように、湾曲部１２に代えて、取付部１１から略Ｌ字状や略コ字状等のように所定の角度で折り曲げられた折曲部２２を形成してもよい。
【００４６】
そしてまた、図１１に示すように、湾曲部１２の曲率半径が異なる複数種（図１１では２種類）の害虫駆除部材１を、外壁１００の高さ方向に互いに間隔をおいて配設してもよい。また、図１２に示すように、湾曲部１２の曲率半径が異なる害虫駆除部材１を、互いの湾曲部１２が接触しないように外壁１００の高さ方向にずらして配設してもよい。このようにすることでも、より多岐にわたるサイズの害虫に対応することができる。なお、この場合は、曲率半径が小さい湾曲部１２を有する害虫駆除部材１が、曲率半径が大きい湾曲部１２を有する害虫駆除部材１よりも、地面に近い側となるように配設することが望ましい。
【００４７】
また、実施の形態１では、害虫駆除部材１の全体を、害虫駆除成分が含有された材料から形成した場合について説明したが、これに限らず、害虫駆除部材１は、その少なくとも一部（任意の一部）が、害虫駆除成分を含有した材料から形成されていてもよい。
【００４８】
さらにまた、実施の形態１では、害虫駆除部材１を建物の外壁１００に配設した場合について説明したが、これに限らず、例えば、階段のステップの略垂直な面、軒下、床面等、任意の場所に設置することができる。特に、害虫駆除部材１を構成する材料に害虫駆除成分が含有されているため、粉末状の害虫駆除薬剤を使用する場合と異なり、粉末が大気中に飛散することもなく、安全であり、設置場所を選ぶことがない。
【００４９】
また、図１３〜図１５に示すように、害虫駆除部材１は、建物や各種機器（特に、電源ボックス、無人測定器、自動販売機等の外部設備）のハウジング２００の出入口を画定する枠部２０２に沿って配設してもよい。この場合、害虫駆除部材１を弾性復元可能な形状にしておけば、前述した害虫駆除効果に加え、扉２０１を閉めた際に、害虫駆除部材１をパッキン（シール部材）として代用することもできる。また、図１６及び図１７に示すように、害虫駆除部材１をシャッター３００の底面に配設しても同様の効果が得られる。
【００５０】
そしてまた、害虫駆除部材１の幅、長さ、厚さ等のサイズ等は、所望により決定することができる。例えば、害虫駆除部材１を外壁１００に取り付けた際に、外壁１００の水平方向に延出する十分な長さを有することもできる。
【００５１】
（実施の形態２）
次に、本発明の実施の形態２にかかる害虫駆除部材について図面を参照して説明する。図１８は、実施の形態２にかかる害虫駆除部材の斜視図、図１９は、図１８に示す害虫駆除部材を床面に配設した場合を示す側面図である。なお、実施の形態２では、実施の形態１で説明した部材と同様の部材には同一の符号を付し、その詳細な説明は省略する。
【００５２】
図１８及び図１９に示すように、実施の形態２にかかる害虫駆除部材２は、前述した実施の形態１にかかる害虫駆除部材１と同様の材料から形成され且つ同様の形状を有する害虫駆除部材本体５０と、害虫駆除部材本体５０を補強して、害虫駆除部材本体５０の形状を維持する補強部材６０を備えている。
【００５３】
補強部材６０は、例えば、金属、セラミックス、木、樹脂等、外部からかかる負荷に対する耐性を有する材料から形成されている。この補強部材６０は、害虫駆除部材本体５０を外側から包囲可能な略Ｕ字状を有している。
【００５４】
この害虫駆除部材２は、例えば図１９に示すように、建物の入口付近に形成された段差４００の近傍（地面、コンクリート面、床面等）のように、往来する歩行者等の荷重（負荷）がかけられる可能性がある場所に設置された場合、補強部材６０が、その荷重を受け止めて害虫駆除部材本体５０を保護することができる。したがって、外部からの荷重がかかりやすい場所に害虫駆除部材２を取り付けた場合でも、害虫駆除部材本体５０の形状が維持されるため、害虫が侵入することを物理的に阻止する機能（いわゆる「虫返し効果」）を十分に発揮させることができる。
【００５５】
なお、実施の形態２では、補強部材６０によって、害虫駆除部材本体５０を外側から包囲した場合について説明したが、これに限らず、例えば図２０に示すように、補強部材６０は、害虫駆除部材本体５０の芯材として配設してもよい。また、図２１のように、取付部１１と湾曲部１２との間に、略柱状（略円筒形、略多角柱形等）の補強部材６０を、互いに間隔をおいて複数配設してもよい。
【図面の簡単な説明】
【００５６】
【図１】本発明の実施の形態１にかかる害虫駆除部材の斜視図である。
【図２】図１に示す害虫駆除部材を建物の外壁に配設した場合を示す斜視図である。
【図３】図１に示す害虫駆除部材を建物の外壁に配設した場合を示す側面図である。
【図４】図１に示す害虫駆除部材を建物の外壁に取り付けるための固定具の一例を示す斜視図である。
【図５】図４に示す固定具を使用して図１に示す害虫駆除部材を建物の外壁に配設した場合を示す斜視図である。
【図６】図４に示す固定具を使用して図１に示す害虫駆除部材を建物の外壁に配設した場合を示す斜視図である。
【図７】図１に示す害虫駆除部材を建物の外壁に配設した際に、この害虫駆除部材を補強する場合を示す斜視図である。
【図８】図１に示す害虫駆除部材にトビイロシワアリが接触した時間と、接触後の生存時間との関係を示すグラフである。
【図９】本発明の他の実施の形態にかかる害虫駆除部材の斜視図である。
【図１０】本発明の他の実施の形態にかかる害虫駆除部材の斜視図である。
【図１１】本発明の他の実施の形態にかかる害虫駆除部材の斜視図である。
【図１２】本発明の他の実施の形態にかかる害虫駆除部材の斜視図である。
【図１３】図１に示す害虫駆除部材をハウジングの出入口を画定する枠部に沿って配設した状態を示す斜視図である。
【図１４】図１３に示すXIV−XIV線に沿った断面を拡大して示す図であり、扉が開放されている状態を示す図である。
【図１５】図１３に示すXIV−XIV線に沿った断面を拡大して示す図であり、扉が閉じられた状態を示す図である。
【図１６】図１に示す害虫駆除部材をシャッターの底面に配設した状態を示す側面図であり、シャッターが開放されている状態を示す図である。
【図１７】図１に示す害虫駆除部材をシャッターの底面に配設した状態を示す側面図であり、シャッターが閉じられた状態を示す図である。
【図１８】本発明の実施の形態２にかかる害虫駆除部材の斜視図である。
【図１９】図１８に示す害虫駆除部材を床面に配設した場合を示す側面図である。
【図２０】本発明の他の実施の形態にかかる害虫駆除部材の斜視図である。
【図２１】本発明の他の実施の形態にかかる害虫駆除部材の斜視図である。
【符号の説明】
【００５７】
１、２    害虫駆除部材
１１    取付部
１２、１２Ａ、１２Ｂ    湾曲部
５０    害虫駆除部材本体
６０、１１１    補強部材
１００    外壁
１１０    固定具
２００    ハウジング
３００    シャッター
【図１】
2008035776.tif 000003
【図２】
2008035776.tif 000004
【図３】
2008035776.tif 000005
【図４】
2008035776.tif 000006
【図５】
2008035776.tif 000007
【図６】
2008035776.tif 000008
【図７】
2008035776.tif 000009
【図８】
2008035776.tif 000010
【図９】
2008035776.tif 000011
【図１０】
2008035776.tif 000012
【図１１】
2008035776.tif 000013
【図１２】
2008035776.tif 000014
【図１３】
2008035776.tif 000015
【図１４】
2008035776.tif 000016
【図１５】
2008035776.tif 000017
【図１６】
2008035776.tif 000018
【図１７】
2008035776.tif 000019
【図１８】
2008035776.tif 000020
【図１９】
2008035776.tif 000021
【図２０】
2008035776.tif 000022
【図２１】
2008035776.tif 000023